(57)【要約】【課題】  経年的な耐久劣化が生じることなく、手洗い水が貯水手段外に漏水してしまうことを防止することである。【解決手段】  本発明では、便器を洗浄するための洗浄水を貯留する貯水手段と、貯水手段に洗浄水を供給すると共に手洗いに供する水を吐出する吐水手段と、前記貯水手段の上方に貯水手段と離間可能に載置され、前記吐水手段から供給された水を前記貯水手段に導くため導流穴を有する水受け蓋手段と、からなる手洗い付き便器タンク装置において、前記水受け蓋手段の貯水手段の対向面となる裏面には、前記導流穴の内径より大きな径を有する少なくとも１つ以上の水返し手段を前記導流穴周囲にで設けたことを特徴とする手洗い付き便器タンク装置とした。【選択図】  図２
2010236276.tif 000002
【特許請求の範囲】
【請求項１】
便器を洗浄するための洗浄水を貯留する貯水手段と、
前記貯水手段に洗浄水を供給すると共に手洗いに供する水を吐出する吐水手段と、
前記貯水手段の上方に貯水手段と離間可能に載置され、前記吐水手段から供給された水を前記貯水手段に導くため導流穴を有する水受け蓋手段と、
からなる手洗い付き便器タンク装置において、
前記水受け蓋手段の裏面の貯水手段の対向面となる導流穴周囲には、その導流穴の内径より大きな径を有する少なくとも１つ以上の水返し手段を設けた
ことを特徴とする手洗い付き便器タンク装置。
【請求項２】
前記貯水手段の開口には、前記水受け蓋手段の導流穴に対向する位置に開口を有するカバー手段が設けられていることを特徴とする請求項１記載の手洗い付き便器タンク装置。
【請求項３】
前記水返し手段は、前記カバー手段に形成された開口へ向かって下方に傾斜するガイド面と対向する位置に形成されていることを特徴とする請求項２に記載の手洗い付き便器タンク装置。
【発明の詳細な説明】
【技術分野】
【０００１】
本発明は、貯水手段であるタンクの上方に手洗い用の吐水手段と水受け蓋を設けた手洗い付き水洗大便器に係り、特に貯水手段外に漏水してしまうことを防止することに好適な水洗大便器に関する発明である。 
【背景技術】
【０００２】
手洗い付きの水洗大便器は、手洗いの水をそのままタンクに貯水できる点で、節水に有効な構造であるが、タンク内のメンテナンス上、手洗い用の吐水手段（スパウト等）が取り付けられた水受け蓋が着脱可能に取り付けられている。そのため、水受け蓋の吐水口と貯水槽（ロータンク）との間には、ギャップを形成せざるを得ず、水受け蓋の吐水口から吐水される水が水受け蓋から貯水槽（ロータンク）に流下する際に、そのギャップ間で飛散して貯水槽（ロータンク）外から漏水してしまうという不具合があった。
例えば、手洗い付き便器のタンク装置においては、手洗鉢の流水孔の周囲にスポンジを貼り付け、手洗鉢の流水孔からロータンク内に流入する洗浄水の勢いを無くして、ロータンク外に漏水してしまうことを防止している（例えば、非特許文献１参照。）。
【先行技術文献】
【非特許文献】
【０００３】
【非特許文献１】発明協会公開技報公技番号２００８−５０１００６号
【発明の概要】
【発明が解決しようとする課題】
【０００４】
上記した先行文献では、このような場合、経年劣化によりスポンジの粘着材が剥がれスポンジが脱落したり、スポンジ硬化による永久変形などにより隙間が発生し、手洗い水が貯水手段外に漏水してしまうというおそれがあり改善の余地があった。
本発明は、上記問題を解決するためになされたもので、本発明の課題は、経年的な耐久劣化が生じることなく、手洗い水が貯水手段外に漏水してしまうことを防止することである。
【課題を解決するための手段】
【０００５】
上記目的を達成するために請求項１記載の発明は、便器を洗浄するための洗浄水を貯留する貯水手段と、貯水手段に洗浄水を供給すると共に手洗いに供する水を吐出する吐水手段と、前記貯水手段の上方に貯水手段と離間可能に載置され、前記吐水手段から供給された水を前記貯水手段に導くため導流穴を有する水受け蓋手段と、からなる水洗大便器において、前記水受け蓋手段の貯水手段の対向面となる裏面には、前記導流穴の内径より大きな径を有する少なくとも１つ以上の水返し手段を前記導流穴周囲に設けたことを特徴としている。
【０００６】
このように構成された本発明において、水受け蓋手段の流穴の周囲に水返し手段を形成したので、導流穴から吐水される際に飛散する水は、水返し手段に衝突することで、飛散を抑制でき、また、２つ以上の水返し手段を形成しておけば、導流穴に最も近い、水返し手段に衝突した水が、水伝いによりその水返し手段を乗り越えて、更に、水受け蓋手段の裏面を水伝いし、貯水手段外へ滴下して、貯水手段外へ漏れるような場合にも有効に漏水を防止できる。
【０００７】
また、請求項２記載の発明は、前記貯水手段の開口には、前記水受け蓋手段の導流穴に対向する位置に開口を有するカバー手段が設けられていることを特徴としている。
【０００８】
このように構成された本発明において、貯水手段内の洗浄水が水受け蓋手段の裏面に結露して、その結露水が、貯水手段外へ落下することを抑制できる。
【０００９】
また、請求項３記載の発明は、前記水返し手段は、前記カバー手段に形成された開口へ向かって下方に傾斜するガイド面と対向する位置に形成されていることを特徴としている。
【００１０】
このように構成された本発明において、水返し手段によって、水の飛散、水伝いを防止された水は、そこから貯水手段側へ落下するが、その落下した水は、カバー手段のガイド面に落ちるようにしたので、水を確実に貯水手段に誘導できる。
【発明の効果】
【００１１】
本発明によれば、経年的な耐久劣化が生じることなく、手洗い水が貯水手段外に漏水してしまうことを防止することができるという効果がある。
【図面の簡単な説明】
【００１２】
【図１】本発明の水洗大便器の外観を示す斜視図である。
【図２】本発明の水洗大便器を示す部分拡大断面図である。
【図３】図２の矢印Ａ方向からの蓋体を示す部分外観図である。
【発明を実施するための形態】
【００１３】
以下、本発明の実施形態のついて、図面を基に説明する。図１は、本発明の手洗い付きの水洗大便器の外観を示す断面図である。図２は、手洗い付きの水洗大便器の部分拡大断面図である。図３は、図２の矢印Ａ方向から見たタンクの蓋体の裏面の部分外観図である。
図１において、参照符合１は、水洗大便器を示す。水洗大便器１は、便器本体２とその上方に載置されている貯水手段であるタンク３からなる。タンク３は、貯水槽４とその貯水槽を収納するタンク本体５、更に、タンク本体５に着脱自在に固定される水受け蓋手段としての蓋体６からなる。蓋体６には、洗浄水を蓋体６上面の水受け部６aに洗浄水を吐水する吐水手段としてのスパウト７が固定されている。スパウト７の吐水口７ａの略直下の蓋体６上面の水受け部６aには、吐水された水を下方の貯水槽４に流下できるように導流穴６ｂが形成されている。
参照符合８は、図示しない止水栓から水道水を給水ホース９に接続されているボールタップである。ボールタップ８は、前記スパウト７に接続され、水を給水できるようになっている。また、参照符合１０は、貯水槽４の底に設けられた排水口４ｂを開閉して便器本体へ洗浄水を給水する排水弁である。
【００１４】
次に、図２に基づき、更に詳細に説明する。
タンク３の蓋体６の裏面側の導流穴６ｂ貯水槽４側には、水返し手段となるリブ１１が形成されている。リブ１１は、図３に示すように導流穴６ｂより外側の周囲に形成され、導流穴６ｂ内径より大きな径を有している。このように導流穴６内径より大きな径を有するリブ１１を形成することで、導流穴６の下端からリブ１１の蓋体６からの立ち上がり位置との間に平面６ｃが形成されることになる。図２では、リブ１１は、１つのリブ１１の更に外側にもう１つのリブ１１を形成している。
【００１５】
また、タンク３の貯水槽４の上方の開口４ａには、結露防止用のカバー１２が形成されており、前記蓋体６の導流穴６ｂの対向位置に開口１２ａが形成されている。好ましくは、開口１２ａは、導流穴６ｂ径より大きく、内側のリブ１１の外径より大きくすることで、導流穴６ｂから流下する洗浄水が直接、カバー１２に当たって、飛散する水を防止できる。また、カバー１２上面は、開口１２ａに向かって傾斜してガイド面１２ｂを形成している。なお、ガイド面１２ｂの対向位置に蓋体６のリブ１１が位置しており、リブ１１から滴下する洗浄水を受け開口１２ａから貯水槽へ誘導できるようになっている。
【００１６】
次に、上述した構成に基づく動作について説明する。
使用者がロータンク側面にある図示しないレバーを操作すると、排水弁１０が開き、貯水槽４に溜まっている水が便器本体３へ流れ出し、溜水混じりの汚物を図示しない排水配管に排出する。貯水槽４に溜まっていた水が減少すると、貯留する水量を元に戻すために図示しない市水に連接された止水栓と接続されている給水ホース９、ボールタップ８を介して水が供給される。供給された水はボールタップ８から直接貯水槽４に補給されると共に、手洗いに供するためにスパウト７に供給される。スパウト７から吐水された水は、タンク３の蓋体６の導流穴６ｂを通過し、カバー１２を経て、貯水槽４に貯水される。所定量の貯水が完了するとボールタップ８は閉止し、次回使用者が水洗大便器１に対して洗浄水を供給する操作を待つことになる。
【００１７】
スパウト７から吐水された水は、蓋体６の取り付け状態や水圧条件等によっては、導流穴６ｂの中央部を直接水が通過せずに、蓋体６の導流穴６ｂ入口付近の水受け部６aに直接当たることがある。その蓋体６の導流穴６ｂ入口付近に当たった水は、吐水の勢いを略そのまま保ち、且つ、手洗い行為によって遮断されない限りは、連続して流れるので、その水は、導流穴６ｂの内壁面を伝わり、その端部より飛散したら、更に、蓋体６裏面に伝わり、貯水槽４とタンク本体３の間の隙間に水が流れ込み、機外漏水することがある。本発明では機外漏水を防止するために、蓋体６の裏面、かつ、導流穴６ｂの略同心上に設けたリブ１２により水伝いを防止するようになっている。水の飛散や水伝いは、導流穴６ｂから、放射状に起きるので、リブ１１は、円周形成している。この水伝いの防止は、上記した蓋体６の裏面に水が伝わりやすいことを利用して、まず、蓋体６に水が伝わるように平面６ｃを形成し、勢いのある水を誘導する。その後、誘導された水は、リブ１１の縦面に衝突し、勢いを失い下方に滴下することになる。平面６ｃは、水が伝わる際に勢いを低減する効果も有するので、ある程度の距離があった方が良い。その距離は、例えば、上記したカバー１２のガイド面１２ｂが形成されている範囲であれば良い。例えば、５〜１０ｍｍとする。また、後述する水飛び防止を考慮するとリブ１１の高さは高ければ良いのであるが、５ｍｍ程度あれば良い。望ましくは、８ｍｍ以上とする。また、市水の給水圧が高い高水圧現場においては、手洗い流量も高く、水伝い量も増えるため、単独のリブ１１だけでは不十分な場合があるため、上記したように二重にリブ１１を設けることで、水返し効果の向上を図っている。なおリブ１１、１１は略同心円状の円筒状の壁であり、蓋体６の材質として一般的である陶器であっても、その形成が容易であるよう配慮されている。なお、２つ目移行のリブ１１の高さは、水伝いの勢いは殆ど無いので、１つ目に比べて低くて良い。
【００１８】
また、リブ１１は導流穴６ｂを通過する際の水伝い防止だけではなく、上記したように導流穴６ｂの端部からの水飛びを防止する効果もある。導流穴６ｂの端部の表面粗さや角部のエッジによっては、水が通過して貯水槽４に向けて落下するときに、周囲に向けて飛沫を生じることがある。その飛沫もリブ１１に衝突の後、下方に向けて落下するよう配慮されているため、前述の内容と同じく機外漏水を防止している。
【符号の説明】
【００１９】
１…水洗大便器
２…便器本体
３…タンク
４…貯水槽（貯水手段）
４ａ…開口
４ｂ…排水口
５…タンク本体
６…蓋体（水受け蓋手段）
６ａ…水受け部
６ｂ…導流穴
６ｃ…平面
７…スパウト（吐水手段）
８…ボールタップ
９…給水ホース
１０…排水弁
１１…リブ（水返し手段）
１２…カバー
１２ａ…開口
１２ｂ…ガイド面
【図１】
2010236276.tif 000003
【図２】
2010236276.tif 000004
【図３】
2010236276.tif 000005